(57)【要約】【課題】  安全ナット付きの小型ジャッキ連結群を多段状に積重ねて形成したジャッキ２群で高層横架物を交互に持ち替えて支えない小型ジャッキ連結群の高さを徐々に低くしながらコラム上の支持部高さまで高層横架物をジャッキダウンさせる。【解決手段】  コラム１上に安全ナット付きの小型ジャッキ連結群３’を多段状に積重ねて形成したジャッキ２群２Ａ、２Ｂを従来の台用サンドル、仮受け用サンドル、降下用ジャッキとして機能させ、第１群２Ａ、第２群２Ｂのジャッキ２を交互にジャッキダウン、ジャッキアップしてそのジャッキダウン時にそのジャッキ２を上位段の小型ジャッキ連結群３’から取り外しジャッキアップ時に高層横架物を支承する作業を繰り返してコラム１上の支持部５までその高層横架物を下降させて、その支持部５で高層横架物を支持する。【選択図】  図６
2005097865.tif 000002
【特許請求の範囲】
【請求項１】
コラムに設置するジャッキに直接的または水平送り装置を介して間接的に支承する高層横架物のそのジャッキダウン方法において、前記ジャッキ（２）は、安全ナット付きの小型ジャッキを複数個水平方向に連結した小型ジャッキ連結群を、多段状に積み重ねた複数群で構成され、該小型ジャッキ複数群からなるジャッキ（２）を交互にジャッキダウン、ジャッキアップする２群に区分けして高層横架物を支承し、該２群のジャッキ（２Ａ）（２Ｂ）を交互にジャッキダウン、ジャッキアップしてジャッキダウン時のそのジャッキ（２Ａ）（２Ｂ）を上位段の小型ジャッキ連結群から取り外しジャッキアップ時に高層横架物を支承する作業を繰り返してコラム上の支持部までその高層横架物を下降させて、その支持部で高層横架物を支持することを特徴とする高層横架物のジャッキダウン方法。
【請求項２】
前記高層横架物が橋桁または橋梁であり、支持部がシュー（沓座）であることを特徴とする請求項１記載の高層横架物のジャッキダウン方法。
【請求項３】
請求項１または２記載の高層横架物のジャッキダウン方法で使用するジャッキであって、安全ナット付きの小型ジャッキを複数個水平方向に連結した小型ジャッキ連結群を、多段状に積み重ねた複数群で構成し、該小型ジャッキ複数群からなるジャッキ（２）を、交互にジャッキダウン、ジャッキアップしてコラム上で高層横架物を直接的または間接的に支承する２群に区分けし、各々の群のジャッキ（２Ａ）（２Ｂ）は、ジャッキダウン時に上位段の小型ジャッキ連結群から取り外しジャッキアップ時に高層横架物を支承することを特徴とする高層横架物のジャッキダウン方法に使用するジャッキ。
【発明の詳細な説明】
【技術分野】
【０００１】
本発明は、コラムに設置するジャッキに水平送り装置を介して間接的に載承する高層横架物（橋桁、橋梁等）や、コラムに設置するジャッキに直接的に載承する高層横架物（ドームや大型倉庫の屋根骨組等）をコラムの支持部まで降下させるそのジャッキダウン方法及びその方法に使用するジャッキに関するものである。
【背景技術】
【０００２】
従来、橋桁や橋梁は、地場ヤードで組み付けられる。そして、ピア（コラム）やベンド（コラム）に井桁状に積み重ねられた台用サンドル上に設置した水平送り装置の機能で前記コラム上方に送り込まれる。
その橋桁、橋梁等の架設体を前記コラム上のシューに支持させるジャッキダウンは下記の手順で行われる。
（１）台用サンドル１００に設置する降下用ジャッキ２００をジャッキアップして橋桁、橋梁等の架設体３００を支承して水平送り装置Ｂを取り外せる状態にしてから、その架設体３００コラム１に井桁状に積み重ねられた仮受け用サンドル４００で支承し、水平送り装置Ｂを取り外す（図１１、図１２）。
（２）降下用ジャッキ２００をジャッキダウンして架設体３００を仮受け用サンドル４００に支承させてから、降下用ジャッキ２００をいったん台用サンドル１００から移動させた後、上位段の台用サンドル１００を取り外し、再び降下用ジャッキ２００を低くなった台用サンドル１００に設置する。
（３）降下用ジャッキ２００をジャッキアップして架設体３００を支承し、今度は上位段の仮受け用サンドル４００を取り外す。
以後は（２）、（３）を繰り返して、台用サンドル１００、仮受け用サンドル４００各々の高さを徐々に低くしながらその架設体３００を降下させて（図１３）、シュー（沓座）５まで下降させて、同架設体３００をシュー（沓座）５に支持させ、最後に降下用ジャッキ２００を取外す（図１４）。
ドームや大型倉庫の屋根骨組においても、地場ヤードで組み付けられ屋根骨組をコラムに井桁状に積重ねられた台用サンドル上の降下用ジャッキに直接クレーン等で吊り上げて設置し、前記（２）（３）の工程を繰り返して同様にその屋根骨組をコラム上の支持部まで下降させて、同屋根骨組を支持部に支持させ、最後に降下用ジャッキを取外す。
前記する高層横架物のジャッキダウンに関する先行技術文献の存在は、出願人としては不知である。
【０００３】
ところで、前記する台用及び仮受け用として使用されるサンドルは、定尺寸法であり、中間高さに対しては調整プレート、楔等を使用している。そのため、高さ調整及び取り外しが非常に面倒且つ煩雑で、それも高所での作業になるため非常に危険である。
また、前記する降下用ジャッキは、コラム上の高層横架物の重量を１〜２台で受ける構成であるため、大型のものを必要とする。これを狭い空間で移動させたりする作業は大変である。
その上、前記する台用サンドル、仮受け用サンドル、降下用ジャッキの重量を加算すると、非常に高重量になり、これを支持するコラムの負担も大きなものとなる。
【発明の開示】
【発明が解決しようとする課題】
【０００４】
本発明は上記従来事情に鑑みてなされたもので、その技術的課題は安全ナット付きの小型ジャッキ連結群を多段状に積み重ねて形成したジャッキ２群で高層横架物を交互に持ち替えて小型ジャッキ連結群の高さを徐々に低くしながらコラム上の支持部高さまで高層横架物をジャッキダウンさせることである。
【課題を解決するための手段】
【０００５】
前記課題を解決するために講じた技術的手段は、コラムに設置するジャッキに直接的または水平送り装置を介して間接的に支承する高層横架物のそのジャッキダウン方法において、前記ジャッキ（２）は、安全ナット付きの小型ジャッキを複数個水平方向に連結した小型ジャッキ連結群を、多段状に積み重ねた複数群で構成され、該小型ジャッキ複数群からなるジャッキ（２）を交互にジャッキダウン、ジャッキアップする２群に区分けして高層横架物を支承し、該２群のジャッキ（２Ａ）（２Ｂ）を交互にジャッキダウン、ジャッキアップしてジャッキダウン時のそのジャッキ（２Ａ）（２Ｂ）を上位段の小型ジャッキ連結群から取り外しジャッキアップ時に高層横架物を支承する作業を繰り返してコラム上の支持部までその高層横架物を下降させて、その支持部で高層横架物を支持することを特徴とする高層横架物のジャッキダウン方法である（請求項１）。ここで、前記高層横架物の一例として、橋桁または橋梁が挙げられる。そして、その場合の支持部はシュー（沓座）になる（請求項２）。
【０００６】
上記手段は、コラム上に安全ナット付きの小型ジャッキ連結群を多段状に積重ねて形成した小型ジャッキ２群（２Ａ）（２Ｂ）を従来の台用サンドル、仮受け用サンドル、降下用ジャッキとして機能させる。
即ち、ジャッキ（２Ａ）（第1群）で高層横架物を支承している時に、ジャッキ（２Ｂ）（第２群）の上位段（小型ジャッキ連結群の上位段）を取り外し、今度はその低くなったジャッキ（２Ｂ）（第２群）をジャッキアップして高層横架物を支承して持ち替える。そしてジャッキ（２Ａ）（第1群）の上位段（小型ジャッキ連結群の上位段）を取り外し、今度はその低くなったジャッキ（２Ａ）（第１群）で高層横架物を支承して持ち替える。その工程を繰り返してジャッキ２群（２Ａ）（２Ｂ）各々の高さを徐々に低くしていき、高層横架物をコラムの支持部高さまで下降させる。
【０００７】
また、その方法に使用するジャッキは、安全ナット付きの小型ジャッキを複数個水平方向に連結した小型ジャッキ連結群を、多段状に積み重ねた複数群で構成し、該小型ジャッキ複数群からなるジャッキ（２）を、交互にジャッキダウン、ジャッキアップしてコラム上で高層横架物を直接的または間接的に支承する２群に区分けし、各々の群のジャッキ（２Ａ）（２Ｂ）は、ジャッキダウン時に上位段の小型ジャッキ連結群から取り外しジャッキアップ時に高層横架物を支承することを特徴とするものである。
【発明の効果】
【０００８】
本発明は以上のように多段状に積み重ねられた安全ナット付きの小型ジャッキ連結群を多段状に積み重ねて構成されたジャッキ２群で高層横架物を交互に持ち替えて、２群のジャッキの高さを徐々に低くしながらコラム上の支持部高さまで高層横架物をジャッキダウンさせるジャッキダウン方法及びその方法で使用するジャッキであるため、スイッチ操作で群別に各小型ジャッキが同期して作動し、高さ調整が頗る簡単であり、井桁状に積み重ねられ調整プレートや楔等を必要箇所に介在したサンドルのように専門の作業者の依存しないと取り外し作業が実行できない従来比して大幅に作業性が向上され、しかも非常に安全である。
しかも、本発明の多段状に積重ねられた小型ジャッキ連結群からなるジャッキが従来の台用サンドル、仮受け用サンドル、降下用ジャッキの働きを兼務した上で上位段から取り外し可能な構成になっているため、高層横架物を徐々に低くする時に高層横架物と台用サンドルとの間の狭い空間を利用していちいち降下用ジャッキを移動させる労力を浪費させることがなくなり、更なる作業性の向上と共に、ジャッキダウン作業の大幅な短期化が図れる。
その上、ジャッキ２群は従来の台用サンドル、仮受け用サンドル、降下用ジャッキの総重量と比較して非常に軽量であり、これを支持するコラムに応力集中させない点でも実用的効果大なるものである。
【発明を実施するための最良な形態】
【０００９】
コラムに設置して高層横架物を支承するジャッキは、安全ナット付きの小型ジャッキを複数個水平方向に連結した小型ジャッキ連結群を多段状に積み重ねた複数群で構成される。
【００１０】
該小型ジャッキ複数群からなるジャッキを交互にジャッキダウン、ジャッキアップする２群に区分けして高層横架物を支承する。
【００１１】
該２群のジャッキを交互にジャッキダウン、ジャッキアップしてジャッキダウン時のそのジャッキを上位段の小型ジャッキ連結群から取り外しジャッキアップ時に高層横架物を支承する作業を繰り返してコラム上の支持部までその高層横架物を下降させて、その支持部で高層横架物を支持する。
【実施例１】
【００１２】
図１〜図１０は本発明高層横架物のジャッキダウン方法及びその方法に使用するジャッキの実施の形態を示している。本説明では高層横架物が橋桁（主桁）である場合を説明する。
【００１３】
コラム１は、ピアやベンド（仮支柱）であり、ベンドはピアに隣設して立設させてあり、このコラム１上にジャッキ２を設置する。
【００１４】
このジャッキ２は、安全ナット１３付きの小型ジャッキ３を複数個水平方向に連結する小型ジャッキ連結群３’を多段状に積み重ねられた複数群で構成されている。
【００１５】
この小型ジャッキ３は、図５に示すように、ピストンロッド２３外周面のネジ３３に螺嵌する安全ナット１３を備え、該安全ナット１３をシリンダ４３に締結してジャッキアップ、ジャッキダウン時に緩まないように構成された周知なものであり、そのシリンダ４３は台座５３を有し、またピストンロッド２３先端には扛上板６３が設けられている。
【００１６】
そして、この小型ジャッキ３は、複数個の隣接する台座５３を互いに解除可能に連結して形成された小型ジャッキ段を多段状に積み重ねると共に各段間において上位の台座５３と下位の扛上板６３とを同じく連結解除可能に連結して前記するジャッキ２（詳細には複数群）を構成している。
【００１７】
前記する連結部材４は、図５に示すように台座５３、扛上板６３の同一位置に開孔した取付孔１４、１４を挿通するボルト３４、ナット４４と一対の連結プレート２４、２４とからなっており、各段間の隣接する台座５３、扛上板６３に跨って上下から一対の連結プレート２４、２４をあてがい、取付孔１４、１４及び一対の連結プレート２４、２４を挿通するボルト３４にナット４４を弛緩可能に締結することによって、各段間の台座５３と扛上板６３とを連結すると共に各段間において隣接する台座５３、５３同士、扛上板６３、６３同士を各々連結している。
尚、最下段の小型ジャッキ連結群３’の隣接する台座５３、５３同士は、ジャッキ２の一体的な強度をアップさせるために互いに解除可能に連結するのが好ましいものである。
【００１８】
前記ジャッキ２は、各コラム１の左右側部位に２群宛設置し、各左右側の２群のどちらか一方のジャッキ２最上段の扛上板６３群に地場ヤードで組み付けられる主桁Ａを各コラム１上方に送り込む水平送り装置Ｂを支持している。送り込み時には主桁Ａ先端に手延べ機ａを付設し、その手延べ機ａの案内機能を利用する（図１、図２参照）。
【００１９】
前記のように水平送り装置Ｂで各コラム１に跨って送り込まれた主桁Ａを支持部（シュー）５に支持させるべく前記ジャッキ２をジャッキダウンさせる。下記ではジャッキ２を第１群２Ａ、第２群２Ｂに分けて、そのジャッキダウン工程を説明する。
【００２０】
（１）水平送り装置Ｂを支持しないジャッキ第２群２Ｂをジャッキアップして主桁Ａを支承させてから、水平送り装置Ｂを取り外す（図６参照）。
（２）ジャッキ第１群２Ａをジャッキアップして主桁Ａを支承させてから、ジャッキ第２群２Ｂをジャッキダウンすると共にそのジャッキ第２群２Ｂの上位段の小型ジャッキ連結群３’の連結を解除し取り外す（図７、図８）。
（３）全高が低くなったジャッキ第２群２Ｂをジャッキアップして主桁Ａを支承させてから、ジャッキ第１群２Ａをジャッキダウンすると共にそのジャッキ第１群２Ａの上位段の小型ジャッキ連結群３’の連結を解除し取り外す（図９）。
続いて（２）、（３）を繰り替えして支持部（シュー）５までジャッキダウンし、主桁Ａを支持部（シュー）５で支持させ、最後に下段の小型ジャッキ連結群３’の連結を解除し取り外す（図１０）。
即ち、ジャッキアップした時に全高が低くなったジャッキ第１群２Ａ、第２群２Ｂで主桁Ａを再び支承可能とするトータルストローク範囲でジャッキダウン時にそのジャッキ第１群Ａ、第２群２Ｂの上位段の小型ジャッキ連結群３’を取り外し、ジャッキ第１群２Ａ、第２群２Ｂで交互に主桁Ａを持ち替えて、主桁Ａをコラム１上の支持部（シュー）５までジャッキダウンするのである。図３はジャッキダウン時の途中工程を、図４は、下段の小型ジャッキ連結群３’を取り外した最終工程を示している。
【００２１】
尚、本実施の形態では橋桁（主桁）を例に採って説明したが、橋梁についても同様な工程でジャッキダウンし、ドームや大型倉庫の屋根骨組等の高層横架物は、前記するジャッキ２群にその高層横架物をクレーン等で直接した支承した後、前記（２）、（３）を繰り返して支持部までジャッキダウンする。
【図面の簡単な説明】
【００２２】
【図１】本実施の形態高層横架物のジャッキダウン方法において主桁を搬入する前の状態を示す側面図。
【図２】同主桁を水平送り装置でコラム上に送り込んで架け渡した状態を示す側面図。
【図３】水平送り装置を取り外した状態を示す側面図。
【図４】ピア（コラム）上のシューに主桁を支持させた状態を示す側面図。
【図５】ジャッキの斜視図。
【図６】ジャッキで主桁を支承する図３と対応する正面図。
【図７】ジャッキダウン方法において、ジャッキの第１群、第２群で主桁を支持している状態の概略を示す正面図で中間省略して示す。
【図８】同ジャッキダウン方法において、ジャッキの第１群をジャッキダウンして同第２群で主桁を支承し、ジャッキダウンした第１群の上段の小型ジャッキ連結群を取り外した状態を示す正面図で中間省略して示す。
【図９】同ジャッキダウン方法において、ジャッキダウンしたジャッキの第１群をジャッキアップして主桁を支承し、同第２群をジャッキダウンしてその上段の小型ジャッキ連結群を取り外す状態を示す正面図で中間省略して示す。
【図１０】同ジャッキダウン方法において、橋桁、橋梁の高さを支持部の高さまでジャッキダウンした状態を示す正面図。
【図１１】従来のジャッキダウン方法において、水平送り装置で橋桁、橋梁をコラム上に送り込んだ状態を示す正面図。
【図１２】仮止め用サンドルを介設した状態を示す正面図。
【図１３】台用サンドル、仮止め用サンドルを交互に取り外してジャッキの高さを低くしている状態を示す正面図。
【図１４】シューに橋桁、橋梁を支持した状態を示す正面図。
【符号の説明】
【００２３】
１：コラム                        Ｂ：水平送り装置
３：小型ジャッキ                  ２：ジャッキ
２Ａ：ジャッキ第１群            ２Ｂ：ジャッキ第２群
Ａ：橋桁（主桁）                ５：支持部（シュー）
３’：小型ジャッキ連結群
【図１】
2005097865.tif 000003
【図２】
2005097865.tif 000004
【図３】
2005097865.tif 000005
【図４】
2005097865.tif 000006
【図５】
2005097865.tif 000007
【図６】
2005097865.tif 000008
【図７】
2005097865.tif 000009
【図８】
2005097865.tif 000010
【図９】
2005097865.tif 000011
【図１０】
2005097865.tif 000012
【図１１】
2005097865.tif 000013
【図１２】
2005097865.tif 000014
【図１３】
2005097865.tif 000015
【図１４】
2005097865.tif 000016